(57)【特許請求の範囲】
【請求項１】
コードホルダに巻回され、ケース内に収納されるコードの両端を該ケースから突出させ、刈払ヘッドの取付け軸の軸心回りに該コードの両端を高速回転させて草を刈るコード式
刈払機用刈払ヘッドにおいて、
該コードホルダと一体となって該軸心回りに回転する蓋を有し、該ケースは該コードホ
ルダと該蓋との間に該軸心回りに回動可能に配置され、
該蓋又は該ケースの一方には、先端部に係止爪を有するストッパが回動可能に軸支され
、
該蓋又は該ケースの他方には、該係止爪と係止して該ケースを該コードホルダ及び該蓋
と一体として回転させる複数の係止面を有する外周面が円状に形成され、
該蓋又は該ケースの該他方には、該ストッパの後端部に設けられた戻し部を誘導して、
該係止爪を該外周面に沿って移動させる誘導部が該外周面の内側に設けられていることを
特徴とするコード式刈払機用刈払ヘッド。
【請求項２】
前記ストッパの前記戻し部は、前記蓋又は前記ケースの前記他方側へ突設された突起であり、
該ストッパの前記誘導部は、該突起を摺動させて誘導する凸条、又は凹条であることを特徴とする請求項１記載のコード式刈払機用刈払ヘッド。
【請求項３】
前記蓋又は前記ケースの前記一方には、前記係止爪を前記外周面方向に押圧するスプリングが設けられていることを特徴とする請求項１又は２記載のコード式刈払機用刈払ヘッド。
【請求項４】
上記コードホルダは前記コードを巻回する円筒状の円筒部を備え、該円筒部の外周には径方向の対称位置に２つの貫通孔が設けられ、
上記ケースの外周には径方向の対称位置に２つのコード挿通孔が設けられ、
該コードの該コードホルダへの巻取り時においては、２つの該貫通孔と、２つの該コード挿通孔とに該コードを挿通して、該ケースと該コードホルダを相対回転させることにより、該コードを該コードホルダの該円筒部に巻き取り可能であり、
前記係止爪と前記係止面とのいずれかの係合位置において、２つの該貫通孔と、２つの該コード挿通孔とが一直線上に配置されることを特徴とする請求項３記載のコード式刈払機用刈払ヘッド。
【発明の詳細な説明】
【技術分野】
【０００１】
本発明は、作業中にコードが短くなった場合、自動的にコードを繰り出すことができるコード式刈払機用刈払ヘッドに関する。
【背景技術】
【０００２】
従来、作業中にコードが短くなった場合、自動的にコードを繰り出すことができるコード式刈払機用刈払ヘッドとして特許文献１、及び２に記載のものが知られている。特許文献１のコード式刈払機用刈払ヘッドは、コードに加わる遠心力と回転数の変化によりストッパと突起との係合が解除されてリングが回りコードが繰り出されるものである。このコード式刈払機用刈払ヘッドによれば、作業中にコードが一定の長さだけ短くなってコードにかかる負荷が小さくなるとともにコードの張力も小さくなりエンジンの回転数が上がり、ストッパの揺動端の遠心力が増してスプリングの押圧力に抗して外側に移動し、ストッパの揺動端と突起との係合が外れてリングが回りコードが繰り出され始める。そして、コードに加わる遠心力が元の大きさに戻り、ストッパの揺動端が戻されてストッパの揺動端と隣接する突起とが係合して、リングの回転が止まり一定の長さのコードの繰り出しが止まる。
【０００３】
また、特許文献２のコード式刈払機用刈払ヘッドは、ボールに加わる遠心力の変化によりボールがコードリールを上方に押し上げて、コードリールとケースの係止が外れてコードが繰り出されるものである。このコード式刈払機用刈払ヘッドによれば、作業中にコードが一定の長さだけ短くなってコードにかかる負荷が小さくなり刈払機の回転数が上がるため、ボールに加わる遠心力が大きくなりボールが外側上方に移動し、バネの押圧力に抗してコードリールが上方に押し上げられる。これにより、コードリールが所定角度だけ回転させられ一定の長さのコードが繰り出された後、コードの繰り出しが止まる。そして、刈払機の回転数が下がると、ボールに加わる遠心力が小さくなりボールが内側下方に移動しコードリールが下方に押し下げられる。
【先行技術文献】
【特許文献】
【０００４】
【特許文献１】特開平６−３３５３１２号公報
【特許文献２】特開平７−２７４６５６号公報
【発明の概要】
【発明が解決しようとする課題】
【０００５】
しかし、上記特許文献１のコード式刈払機用刈払ヘッドでは、作業中にコードが一度に極端に短くなった場合、コードにかかる負荷が極端に減り、回転数が極端に上がるため、ストッパの揺動端がスプリングの押圧力に抗して外側に移動したままであり、リングが回り続けて隣接する１つ以上の突起との係合が飛ばされ、コードが繰り出され続ける。そして、コードの長さが長くなったことにより遠心力が元の大きさに戻り、ストッパの揺動端が戻されてストッパの揺動端と突起とが係合する。これにより、リングの回転が止まり、所定の長さのコードの繰り出しが止まる。この際、リングが急速に回転するため、ストッパの揺動端と突起とが係合すると、突起に強い衝撃が加わって突起が破損してしまう。また、このコード式刈払機用刈払ヘッドでは、コードの繰り出し量がスプリングのバラツキや経年劣化に左右されてしまう。
【０００６】
また、上記特許文献２のコード式刈払機用刈払ヘッドでは、作業中にコードが一度に極端に短くなった場合、コードにかかる負荷が極端に減り、回転数が極端に上がるため、ボールに加わる遠心力も大きくボールが外側上方に留まって、コードリールが上方に押し上げられたままになる。このコード式刈払機用刈払ヘッドでは、ボールが内側下方に移動してコードリールが下方に押し下げられないと、次の一定の長さのコードの繰り出しが行えないため、手動によりコード式刈払機用刈払ヘッドの回転数を落す必要がある。また、このコード式刈払機用刈払ヘッドにおいても、コードの繰り出し量がスプリングのバラツキや経年劣化に左右されてしまう。
【０００７】
本発明はかかる従来の問題点に鑑みてなされたものであり、作業中にコードの長さが一度に極端に短くなった場合であっても、部品を破損することなく所定の長さになるまで自動でコードを繰り出すことができるコード式刈払機用刈払ヘッドを提供するものである。
【課題を解決するための手段】
【０００８】
上記の課題を解決するために、請求項１に係るコード式刈払機用刈払ヘッドの特徴は、
コードホルダに巻回され、ケース内に収納されるコードの両端を該ケースから突出させ、
刈払ヘッドの取付け軸の軸心回りに該コードの両端を高速回転させて草を刈るコード式刈
払機用刈払ヘッドにおいて、該コードホルダと一体となって該軸心回りに回転する蓋を有
し、該ケースは該コードホルダと該蓋との間に該軸心回りに回動可能に配置され、該蓋又
は該ケースの一方には、先端部に係止爪を有するストッパが回動可能に軸支され、該蓋又
は該ケースの他方には、該係止爪と係止して該ケースを該コードホルダ及び該蓋と一体と
して回転させる複数の係止面を有する外周面が円状に形成され、該蓋又は該ケースの該他
方には、該ストッパの後端部に設けられた戻し部を誘導して、該係止爪を該外周面に沿っ
て移動させる誘導部が該外周面の内側に設けられていることである。
【０００９】
請求項２に係るコード式刈払機用刈払ヘッド特徴は、前記ストッパの前記戻し部は、前記蓋又は前記ケースの前記他方側へ突設された突起であり、該ストッパの前記誘導部は、該突起を摺動させて誘導する凸条、又は凹条であることである。
【００１０】
請求項３に係るコード式刈払機用刈払ヘッドの特徴は、前記蓋又は前記ケースの前記一方には、前記係止爪を前記外周面方向に押圧するスプリングが設けられていることである。
【００１１】
請求項４に係るコード式刈払機用刈払ヘッドの特徴は、上記コードホルダは前記コードを巻回する円筒状の円筒部を備え、該円筒部の外周には径方向の対称位置に２つの貫通孔が設けられ、上記ケースの外周には径方向の対称位置に２つのコード挿通孔が設けられ、該コードの該コードホルダへの巻取り時においては、２つの該貫通孔と、２つの該コード挿通孔とに該コードを挿通して、該ケースと該コードホルダを相対回転させることにより、該コードを該コードホルダの該円筒部に巻き取り可能であり、前記係止爪と前記係止面とのいずれかの係合位置において、２つの該貫通孔と、２つの該コード挿通孔とが一直線上に配置されることである。
【発明の効果】
【００１２】
請求項１に係るコード式刈払機用刈払ヘッドでは、コードホルダの回転が所定回転より小さい場合は、係止爪と係止面とが係合してケースをコードホルダ及び蓋と一体として回転させる。そして、コードホルダの回転が所定回転以上になると、ストッパに加わる遠心力が大きくなることにより係止爪と係止面との係合が解除されて、ケースとコードホルダ及び蓋とが相対回転する。この際、戻し部と誘導部とにより、係止爪が外周面に沿って次の係止面との係合位置まで移動し、一定の長さのコードが繰り出される。コードホルダの回転が所定回転以上である間は、この動作が連続して起こり、隣接する係止面との係合位置までの係止爪の移動が飛ばされることがないため、ケースがコードホルダ及び蓋に対して急速に回転することはない。そのため、係止爪と係止面とが係合しても、ストッパに強い衝撃力が加わることはなく、ストッパや係止面の破損を抑制することができる。また、コードホルダの回転が所定回転より小さくなって、係止爪と係止面とが係合するまでコードが繰り出され続けるため、アクセル操作をしなくともケースから突出されるコードは所定の長さが確保される。
【００１３】
さらに、このコード式刈払機用刈払ヘッドでは、ストッパに加わる遠心力により係止爪と係止面との係合及び解除を行っているため、コードの繰り出し量が安定している。すなわち、スプリングの押圧力を用いた場合、コードの繰り出し量がスプリングのバラツキや経年劣化に左右されてしまうが、ストッパに加わる遠心力はストッパの形状等により決定されるため、バラツキや経年劣化によるコードの繰り出し量への影響が少ない。したがって、このコード式刈払機用刈払ヘッドによれば、作業中にコードの長さが一度に極端に短くなった場合であっても、部品を破損することなく所定の長さになるまで自動でコードを繰り出すことができる。
【００１４】
請求項２に係るコード式刈払機用刈払ヘッドでは、凸条、又は凹条である誘導部が突起である記戻し部を摺動させて誘導するため、係止爪を外周面に沿って確実に係止面へ移動させることができる。
【００１５】
請求項３に係るコード式刈払機用刈払ヘッドでは、スプリングがストッパの係止爪を外周面方向に押圧するため、分解することなくコードをコードホルダに巻き取ることができるコード式刈払機用刈払ヘッドである場合、コードをコードホルダに巻き取り易くなる。なお、このコード式刈払機用刈払ヘッドでは、ストッパに加わる遠心力により係止爪と係止面との係合及び解除を行っているため、スプリングの押圧力はストッパの係止爪を外周面方向に押圧するだけの小さなものである。そのため、スプリングがコードの繰り出し量に与える影響は極めて小さい。
【００１６】
請求項４に係るコード式刈払機用刈払ヘッドでは、コードホルダの円筒部の外周には径方向の対称位置に２つの貫通孔が設けられ、ケースの外周には径方向の対称位置に２つのコード挿通孔が設けられている。そして、ストッパの係止爪とケースの係止面とのいずれかの係合位置において、２つの貫通孔と２つのコード挿通孔とが一直線上に配置される。そのため、コードのコードホルダへの巻取り時に、２つの貫通孔と２つのコード挿通孔とを容易に一直線上に配置させることができ、コードの両端を挿通孔へ通しやすくなる。
【図面の簡単な説明】
【００１７】
【図１】実施形態のコード式刈払機用刈払ヘッドの刈払機への取付け図。
【図２】実施形態のコード式刈払機用刈払ヘッドの分解斜視図。
【図３】実施形態のコード式刈払機用刈払ヘッドに係り、ストッパの正面図、及び断面図。
【図４】実施形態のコード式刈払機用刈払ヘッドに係り、ケースの正面図。
【図５】実施形態のコード式刈払機用刈払ヘッドに係り、ケースの平面図。
【図６】実施形態のコード式刈払機用刈払ヘッドに係り、ケースの底面図。
【図７】実施形態のコード式刈払機用刈払ヘッドに係り、コードホルダの断面図。
【図８】実施形態のコード式刈払機用刈払ヘッドに係り、ケースにストッパが組み付けられた図。
【図９】実施形態のコード式刈払機用刈払ヘッドに係り、コードホルダの回転が所定回転以上になった場合の、ケースとストッパとの関係を示す図。
【図１０】実施形態のコード式刈払機用刈払ヘッドに係り、ケースとストッパとの拡大図。
【図１１】実施形態のコード式刈払機用刈払ヘッドに係り、コードホルダの回転が所定回転以上になった場合の、ケースとストッパとの関係を示す図。
【図１２】実施形態のコード式刈払機用刈払ヘッドに係り、コードホルダの回転が所定回転より小さくなった場合の、ケースとストッパとの関係を示す図。
【図１３】実施形態のコード式刈払機用刈払ヘッドに係り、コードの長さが一度に極端に短くなった場合の、ケース、ストッパ、及びコードの関係を示す一部拡大図。
【図１４】実施形態のコード式刈払機用刈払ヘッドに係り、コードの長さが一度に極端に短くなった場合の、ケース、ストッパ、及びコードの関係を示す一部拡大図。
【図１５】実施形態のコード式刈払機用刈払ヘッドに係り、コードの長さが一度に極端に短くなった場合の、ケース、ストッパ、及びコードの関係を示す一部拡大図。
【図１６】実施形態のコード式刈払機用刈払ヘッドに係り、コードの長さが一度に極端に短くなった場合の、ケース、ストッパ、及びコードの関係を示す一部拡大図。
【図１７】実施形態のコード式刈払機用刈払ヘッドに係り、コードのコードホルダへの巻取りを示す図。
【発明を実施するための形態】
【００１８】
本発明に係るコード式刈払機用刈払ヘッドを具体化した実施形態を図面に基づいて以下に説明する。図１は、このコード式刈払機用刈払ヘッド１の刈払機の操作ロッド９０へ取付けを示した図である。図１に示すように、このコード式刈払機用刈払ヘッド１は、刈払機の操作ロッド９０の先端部の取付け軸９１にボルト９２により取付けられる。コード式刈払機用刈払ヘッド１からは、コードＣが突出されている。
【００１９】
図２は、実施形態のコード式刈払機用刈払ヘッド１の分解斜視図である。図２に示すように、このコード式刈払機用刈払ヘッド１は、蓋２、ストッパ１０、スプリング１５、ケース２０、及びコードホルダ３０を有している。そして、コード式刈払機用刈払ヘッド１は、取付け軸９１の軸心Ｌ回りにコードＣの両端を高速回転させて草を刈ることができる。蓋２は、中空円盤状の蓋本体３と、蓋本体３の中央部に突設された円筒状の円筒部４とからなっている。この円筒部４の内周には雌ネジ４ａが形成され、雌ネジ４ａは後述するコードホルダ３０の円筒部３１の外周部に形成された雄ネジ３１ｂと螺合するようになっている。そして、雌ネジ４ａと雄ネジ３１ｂとを螺合させて蓋２とコードホルダ３０とを固着させることにより、蓋２とコードホルダ３０が一体として回動可能にされている。また、同心円上の対称位置には、２個の円柱状の回転支柱５、２個の円柱状の押圧支柱６、２個の取付部７が設けられている。
【００２０】
ストッパ１０は、図３にも示すように、僅かに鉤状に屈曲した板状をなし、先端部１０ａと後端部１０ｂの中央部であって、先端部１０ａ寄りの位置には回動孔１１が開けられている。この回動孔１１に蓋２の回転支柱５が挿入され、ストッパ１０は回転支柱５回りに回動可能にされている。また、先端部１０ａには係止爪１２が形成されている。さらに、回動孔１１から後端部１０ｂまでの重量は、回動孔１１から先端部１０ａまでの重量よりも重くなっている。そして、先端部１０ａには段差部１４が形成されている。また、後端部１０ｂには、戻し部としての円筒状の突起１３がケース２０方向に突設されている。なお、図３（１）はストッパ１０の正面図、図３（２）は図３（１）のＩＩＩ−ＩＩＩ矢視断面図である。
【００２１】
スプリング１５はトーションバネであり、コイル部１５ａ、第１アーム１５ｂ、及び第２アーム１５ｃからなっている。コイル部１５ａに蓋２の押圧支柱６が挿入され、第１アーム１５ｂが蓋２の取付部７に掛けられる。そして、第２アーム１５ｃがストッパ１０の段差部１４に掛けられる。これにより、スプリング１５によりストッパ１０の先端部１０ａが蓋２の径方向外側に押圧される。
【００２２】
図４〜６にも示すように、ケース２０は、両面に凹部２１、２２を有する円筒状をなし、中央に挿入孔２０ａが開けられている。凹部２１にはストッパ１０が収納され、外周にはストッパ１０の係止爪１２が案内される外周面２３が円状に形成され、外周面２３の８箇所にはストッパ１０の係止爪１２を係止する係止面２４が形成されている。そして、外周面２３の内側には、ストッパ１０の後端部１０ｂに設けられた突起１３を誘導して、係止爪１２を外周面２３に沿って移動させる誘導部としての凸条２５が設けられている。この凸条２５の軸心Ｌ側の側面上に突起１３を摺動させて、係止爪１２を外周面２３に沿って強制的に移動させるようになっている。また、凹部２２側の外周部の対称位置には２組のコード挿通孔２８が設けられている。なお、本実施形態においては、誘導部として凸条２５を採用しているが、凸条２５の替わりに凹条を採用して、凹条の凹部内を突起１３が摺動するようにしてもよい。
【００２３】
図７にも示すように、コードホルダ３０は、円筒部３１、底板３２、及びフランジ３３を有している。円筒部３１は円筒状をなし、中空円盤状の底板３２の中央に立設されている。円筒部３１の中央部には円盤状のフランジ３３が設けられ、底板３２とフランジ３３との間にはコード巻回部３４が形成されている。このコード巻回部３４にコードＣが巻回されて収納される。この巻回部３４に位置する円筒部３１の対称位置には２つの貫通孔３５が開けられている。また、円筒部３１のコード巻回部３４より先端側には、外周部に雄ネジ３１ｂが形成されている。さらに、円筒部３１の内周面には中央孔３１ａが形成され、コードＣの巻き取り時において、この中央孔３１ａから貫通孔３５を通してコードＣをコード巻回部３４に挿入することができるようになっている。
【００２４】
このコード式刈払機用刈払ヘッド１の組付け方法を以下に示す。図２に示すように、まず、ストッパ１０の回動孔１１に蓋２の回転支柱５を挿入する。そして、スプリング１５のコイル部１５ａに蓋２の押圧支柱６を挿入し、第１アーム１５ｂを蓋２の取付部７に掛け、第２アーム１５ｃをストッパ１０の段差部１４に掛ける。こうして、ストッパ１０が蓋２に取付けられ、スプリング１５によりストッパ１０の先端部１０ａが蓋２の径方向外側に押圧される。
【００２５】
その後、蓋２の円筒部４をケース２０の挿入孔２０ａに挿入し、コードホルダ３０の雄ネジ３１ｂと蓋２の雌ネジ４ａとを螺合させて、蓋２とコードホルダ３０とを固着させて、コード式刈払機用刈払ヘッド１が組付けられる。
【００２６】
次に、コード式刈払機用刈払ヘッド１の動作について説明する。ただし、コードＣがコ
ードホルダ３０に巻回されケース２０内に収納され、コードＣの両端をケース２０のコー
ド挿通孔２８から所定の長さだけ突出させているものとする。コード式刈払機の駆動源が
駆動されると、図８に示すように、ストッパ１０の係止爪１２がケース２０の係止面２４
により係止されているため、蓋２、コードホルダ３０、及びケース２０は一体となって軸
心Ｌ回りに反時計方向に回転する。これにより、コードＣが高速回転して草を刈ることが
できる。ただし、図８は、ケース２０を蓋２方向から見た図であり、蓋本体３及び円筒部
４の記載を省略している。
【００２７】
次に、作業中にコードＣが一定の長さだけ短くなった場合について説明する。コードＣが一定の長さだけ短くなると、コードＣにかかる負荷が小さくなりコード式刈払機用刈払ヘッド１の回転数が上がり、ストッパ１０に加わる遠心力が大きくなる。ここで、ストッパ１０の回動孔１１から後端部１０ｂまでの重量が回動孔１１から先端部１０ａまでの重量よりも重くなっているため、コード式刈払機用刈払ヘッド１の回転数が所定の回転数以上になると、後端部１０ｂに加わる遠心力と先端部１０ａに加わる遠心力との差が大きくなる。これにより、図９の矢印で示すように、ストッパ１０は反時計方向に回転して、係止爪１２と係止面２４との係合が外れる。なお、図９〜図１２においては、スプリング１５の記載を省略している。
【００２８】
ここで、図１０に示すように、ストッパ１０の回転中心から係止爪１２と係止面２４との接触位置のうち、最も長い距離を距離Ｄ１、最も短い距離を距離Ｄ２とする。係止爪１２と係止面２４との係合状態（図８）から、係止爪１２と係止面２４との係合が完全に外れた状態（図９）までの間、距離Ｄ１と距離Ｄ２との差の量だけ、図９に示すように、ケース２０がコードホルダ３０及び蓋２に対して僅かに矢印で示す反時計方向に回転する。このように、係止爪１２と係止面２４との係合状態（図８）から係止爪１２と係止面２４との係合が完全に外れた状態（図９）になるためには、係止爪１２がケース２０を押し戻す力が必要となるため、スプリング等の弾性体を用いることなく、係止爪１２と係止面２４との係合状態（図８）を安定して維持することができる。なお、本実施形態において用いられているスプリング１５の押圧力は、ストッパ１０の先端部１０ａが蓋２の径方向外側に押圧するために必要な最低限度であるため、スプリング１５がコードＣの繰り出し量に与える影響は極めて小さい。
【００２９】
係止爪１２と係止面２４との係合が完全に外れると、図１１に示すように、ケース２０がコードホルダ３０及び蓋２に対して矢印で示す時計方向に回転する。この際、凸条２５の軸心Ｌ側の側面上に突起１３を摺動させて、係止爪１２を外周面２３に沿って強制的に移動させる。このため、図１２に示すように、係止爪１２は、隣接する係止面２４と確実に係合する。こうして、ケース２０からコード挿通孔２８を通して、コードホルダ３０及び蓋２に対するケース２０の回転分に相当する一定の長さのコードＣが延出される。
【００３０】
次に、コードＣの長さが一度に極端に短くなった場合について説明する。ただし、コードホルダ３０の回転数をＲ（ｒｐｍ）とし、回転数Ｒ（ｒｐｍ）が所定回転数Ｒ０（ｒｐｍ）以上になると係止爪１２と係止面２４との係合が外れるものとする。コードＣが一度に極端に短くなった状態を図１３に示す。この際のコードをＣ（０）で表し、この時に係止爪１２と係合している係止面を２４（０）で表す。この場合、Ｒ（ｒｐｍ）＞Ｒ０（ｒｐｍ）となり、コードＣが一定の長さだけ短くなった場合において既に述べた理由により、係止爪１２と係止面２４（０）との係合が解除され、ケース２０がコードホルダ３０及び蓋２に対して矢印で示す時計方向に回転する。その際、凸条２５の軸心Ｌ側の側面上に突起１３を摺動させて、係止爪１２を外周面２３に沿って強制的に移動させる。
【００３１】
そして、図１４に示すように、ケース２０がコードホルダ３０及び蓋２に対して４５度だけ回転した後、係止爪１２が隣接する係止面２４（１）と確実に係合し、ケース２０からコード挿通孔２８を通して一定の長さのコードＣが延出される。この時のコードをコードＣ（１）で表す。
【００３２】
図１４の状態においても、コードＣ（１）が所定の長さに達しないためコードＣ（１）にかかる負荷が大きくならず、コードホルダ３０の回転数Ｒ（ｒｐｍ）は十分に下がらない。そのため、未だＲ（ｒｐｍ）＞Ｒ０（ｒｐｍ）のままであり、コードＣが一定の長さだけ短くなった場合において既に述べた理由により、直ちに係止爪１２と係止面２４（１）との係合が解除され、ケース２０がコードホルダ３０及び蓋２に対して矢印で示す時計方向に回転する。その際、凸条２５の軸心Ｌ側の側面上に突起１３を摺動させて、係止爪１２を外周面２３に沿って強制的に移動させる。
【００３３】
そして、図１５に示すように、ケース２０がコードホルダ３０及び蓋２に対してさらに４５度だけ回転した後、係止爪１２が隣接する係止面２４（２）と確実に係合し、ケース２０からコード挿通孔２８を通して一定の長さのコードＣが延出される。この時のコードをコードＣ（２）で表す。
【００３４】
図１５の状態においても、コードＣ（２）が所定の長さに達しないためコードＣ（２）にかかる負荷が大きくならず、コードホルダ３０の回転数Ｒ（ｒｐｍ）は十分に下がらない。そのため、未だＲ（ｒｐｍ）＞Ｒ０（ｒｐｍ）のままであり、コードＣが一定の長さだけ短くなった場合において既に述べた理由により、直ちに係止爪１２と係止面２４（２）との係合が解除され、ケース２０がコードホルダ３０及び蓋２に対して矢印で示す時計方向に回転する。その際、凸条２５の軸心Ｌ側の側面上に突起１３を摺動させて、係止爪１２を外周面２３に沿って強制的に移動させる。
【００３５】
そして、図１６に示すように、ケース２０がコードホルダ３０及び蓋２に対してさらに４５度だけ回転した後、係止爪１２が隣接する係止面２４（３）と確実に係合し、ケース２０からコード挿通孔２８を通して一定の長さのコードＣが延出される。この時のコードをコードＣ（３）で表す。このコードＣ（３）は所定の長さに達しているためＣ（３）にかかる負荷が大きくなり、コードホルダ３０の回転数Ｒ（ｒｐｍ）は十分に下がる。そのため、Ｒ（ｒｐｍ）＜Ｒ０（ｒｐｍ）となり、係止爪１２は係止面２４（３）と係合した状態で安定し、ケース２０のコードホルダ３０及び蓋２に対する相対回転が停止されるとともに、コードＣの繰り出しも停止される。
【００３６】
このように、コードホルダ３０の回転数Ｒ（ｒｐｍ）が所定回転数Ｒ０（ｒｐｍ）より大きい間は、係止爪１２が隣接する係止面２４と確実に係合しても、ストッパ１０に加わる遠心力により直ちに係止爪１２と隣接する係止面２４との係合が解除される。そして、コードホルダ３０の回転数Ｒ（ｒｐｍ）が所定回転数Ｒ０（ｒｐｍ）より小さくなるまで、この動作が次々と繰り返され、最終的にケース２０からコード挿通孔２８を通して突出されるコードＣは所定の長さになる。
【００３７】
次に、コードＣのコードホルダ３０への巻き取りについて、図１７を用いて説明する。
ただし、図１７は、ケース２０をコードホルダ３０側から見た図であり、コード巻回部３
４部分において、軸心Ｌに垂直な面で切断した図である。まず、ケース２０のコード挿通
孔２８とコードホルダ３０の貫通孔３５とが一直線上に配置されるように、ケース２０を
コードホルダ３０に対し矢印で示す方向に回転させる。この動作について、ケース２０を
蓋２方向から見ると、図８に示すように、ケース２０をコードホルダ３０に対し反時計方
向に回転させることになる。この際、スプリング１５によりストッパ１０の先端部１０ａ
が蓋２の径方向外側に僅かに押圧されていることから、係止爪１２と係止面２４とが係合する前は徐々に回転抵抗が増加していく。そして、係止爪１２と係止面２４とが係合する
と回転抵抗が一気に減少するため、係止爪１２と係止面２４との係合位置を簡単に把握す
ることができる。なお、係止爪１２と係止面２４との係合に逆らって、ケース２０をコー
ドホルダ３０に対し時計方向に回転させることはできない。
【００３８】
そして、ストッパ１０の係止爪１２とケース２０の係止面２４とのいずれかの係合位置において、２つの貫通孔３５と２つのコード挿通孔２８とが一直線上に配置されているため、このようにして係止爪１２と係止面２４とを係合させることにより、２つの貫通孔と２つのコード挿通孔とを容易に一直線上に配置させることができる。このコード式刈払機用刈払ヘッド１のように、係止面２４が外周面２３に８つ設けられている場合、最大で３つの係止面２４の分（１３５度）だけケース２０を相対回転させさせればよい。
【００３９】
その後、図１７に示すように、コードＣの一端をコードホルダ３０の中央孔３１ｂに挿入し、貫通孔３５、コード挿通孔２８を順次通してケース２０の外へ引き出す。コードＣの他端についても同様にして、コードＣの中央部が中央孔３１ｂ内に配置されるようにする。こうして、コードＣがコードホルダ３０へ取付けられる。そして、ケース２０をコードホルダ３０に対し矢印で示す方向に回転させると、コードＣがコードホルダ３０へ巻き取られる。
【００４０】
実施形態のコード式刈払機用刈払ヘッドにおいては、コードホルダ３０の回転が所定回転より小さい場合は、係止爪１２と係止面２４とが係合してケース２０をコードホルダ３０及び蓋２と一体として回転させる。そして、コードホルダ３０の回転が所定回転以上になると、ストッパ１０に加わる遠心力が大きくなることにより係止爪１２と係止面２４との係合が解除されて、ケース２０とコードホルダ３０及び蓋２とが相対回転する。この際、突起１３と凸条２５とにより、係止爪１２が外周面２３に沿って次の係止面２４との係合位置まで移動し、一定の長さのコードＣが繰り出される。コードホルダ３０の回転が所定回転以上である間は、この動作が連続して起こり、隣接する係止面２４との係合位置までの係止爪１２の移動が飛ばされることがないため、ケース２０がコードホルダ３０及び蓋２に対して急速に回転することはない。そのため、係止爪１２と係止面２４とが係合しても、ストッパ１０に強い衝撃力が加わることはなく、ストッパ１０や係止面２４の破損を抑制することができる。また、コードホルダ３０の回転が所定回転より小さくなって、係止爪１２と係止面２４とが係合するまでコードＣが繰り出され続けるため、アクセル操作をしなくともケース２０から突出されるコードＣは所定の長さが確保される。
【００４１】
さらに、このコード式刈払機用刈払ヘッドでは、ストッパ１０に加わる遠心力により係止爪１２と係止面２４との係合及び解除を行っているため、コードＣの繰り出し量が安定している。すなわち、スプリング１５の押圧力を用いた場合、コードＣの繰り出し量がスプリング１５のバラツキや経年劣化に左右されてしまうが、ストッパ１０に加わる遠心力はストッパ１０の形状等により決定されるため、バラツキや経年劣化によるコードＣの繰り出し量への影響が少ない。したがって、このコード式刈払機用刈払ヘッドによれば、作業中にコードＣの長さが一度に極端に短くなった場合であっても、部品を破損することなく所定の長さになるまで自動でコードＣを繰り出すことができる。
【００４２】
また、このコード式刈払機用刈払ヘッドでは、凸条２５が突起１３を摺動させて誘導するため、係止爪１２を外周面２３に沿って確実に移動させることができる。
【００４３】
さらに、このコード式刈払機用刈払ヘッドでは、スプリング１５がストッパ１０の係止爪１２を外周面２３方向に押圧するため、分解することなくコードＣをコードホルダ３０に巻き取ることができるコード式刈払機用刈払ヘッドである場合、コードＣをコードホルダ３０に巻き取り易くなる。なお、このコード式刈払機用刈払ヘッドでは、ストッパ１０に加わる遠心力により係止爪１２と係止面２４との係合及び解除を行っているため、スプリング１５の押圧力はストッパ１０の係止爪１２を外周面２３方向に押圧するだけの小さなものである。そのため、スプリング１５がコードＣの繰り出し量に与える影響は極めて小さい。
【００４４】
また、このコード式刈払機用刈払ヘッドでは、コードホルダ３０の円筒部３１の外周には径方向の対称位置に２つの貫通孔３５が設けられ、ケース２０の外周には径方向の対称位置に２つのコード挿通孔２８が設けられている。そして、ストッパ１０の係止爪１２とケース２０の係止面２４とのいずれかの係合位置において、２つの貫通孔３５と２つのコード挿通孔２８とが一直線上に配置される。そのため、コードＣのコードホルダ３０への巻取り時に、２つの貫通孔３５と２つのコード挿通孔２８とを容易に一直線上に配置させることができ、コードＣの両端を挿通孔２８へ通しやすくなる。
【００４５】
なお、本実施形態においては、ストッパ１０が蓋２に設けられ、外周面２３及び誘導部（凸条２５）がケース２０に設けられているが、ストッパ１０をケース２０に設け、外周面２３及び誘導部を蓋２に設けてもよい。
【００４６】
以上、本発明のコード式刈払機用刈払ヘッドを実施形態に即して説明したが、本発明はこれらに制限されるものではなく、本発明の技術的思想に反しない限り、適宜変更して適用できることはいうまでもない。
【符号の説明】
【００４７】
１…コード式刈払機用刈払ヘッド、２…蓋、１０…ストッパ、１２…係止爪、１３…戻し部（突起）、１５…スプリング、２０…ケース、２３…外周面、２４…係止面、２５…誘導部（凸条）、２８…コード挿通孔、３０…コードホルダ、３１…円筒部、３５…貫通孔、９１…取付け軸、Ｃ…コード、Ｌ…軸心。
【図１】
0006440422.tif 000002
【図２】
0006440422.tif 000003
【図３】
0006440422.tif 000004
【図４】
0006440422.tif 000005
【図５】
0006440422.tif 000006
【図６】
0006440422.tif 000007
【図７】
0006440422.tif 000008
【図８】
0006440422.tif 000009
【図９】
0006440422.tif 000010
【図１０】
0006440422.tif 000011
【図１１】
0006440422.tif 000012
【図１２】
0006440422.tif 000013
【図１３】
0006440422.tif 000014
【図１４】
0006440422.tif 000015
【図１５】
0006440422.tif 000016
【図１６】
0006440422.tif 000017
【図１７】
0006440422.tif 000018